(57)【要約】【課題】免震建物の下部構造を極めて簡単な構造で覆うようにする。【解決手段】下部構造カバーＢは、免震建物に於ける下部構造Ａの上部建物３から突出した部位の形状に対応した形状を有し、上部建物３を含む上部構造の移動に応じて移動し得るように下部構造Ａの上部建物から突出した部位に載置されて該部位を覆う。下部構造カバーＢの上部建物３側の辺に立上片２１を設け、上部建物３から突出した側の辺に立下片２２を設ける。上部建物３との間に着脱自在な連結部２５を設ける。【選択図】    図１
2008266898.tif 000002
【特許請求の範囲】
【請求項１】
免震建物に於ける下部構造の上部建物から突出した部位の形状に対応した形状を有し、上部建物を含む上部構造の移動に応じて移動し得るように前記下部構造の上部建物から突出した部位に載置されて該部位を覆うことを特徴とする下部構造カバー。
【請求項２】
上部建物側の辺に立上片を設けたことを特徴とする請求項１に記載した下部構造カバー。
【請求項３】
上部建物から突出した側の辺に立下片を設けたことを特徴とする請求項１又は２に記載した下部構造カバー。
【請求項４】
上部建物との間に着脱自在な連結部を設けたことを特徴とする請求項１乃至３の何れかに記載した下部構造カバー。
【発明の詳細な説明】
【技術分野】
【０００１】
本発明は、免震建物における地盤の動きに追従して地盤に対し相対的に移動しない基礎等の下部構造の要部を覆う下部構造カバーに関するものである。
【背景技術】
【０００２】
滑り支承型の免震建物は、基礎等の下部構造に摺動子と受板とからなる支承材や復元材等の免震材を配置し、該免震材上部に架台（非免震建物における基礎立上り部に相当する機能を有し、柱土台１階床等を支持する部位）と上部建物（一般的な非免震建物における基礎よりも上の部分）とからなる上部構造体を構築して構成される。このように構成された免震建物では、上部建物と下部構造との間の架台付近に外壁や基礎では覆われず開放された空間が形成される。
【０００３】
また滑り支承型の免震建物では地震時には上部構造体は下部構造に対し相対的に水平方向に大きく移動する。このため、支承材が上部建物の外周部の近傍に配置されるような場合、下部構造における受板を載置する部分が上部建物の１階部分における外壁等で囲まれた領域からはみ出してしまい屋外に平面的に露出することとなる。
【０００４】
上記の如く、建物として上部建物と下部構造との間に形成された開放された空間が形成されたり、下部構造が屋外に平面的に露出したままとなることは、床下空間下への小動物の進入や風雨の吹き込み等を招き、免震材等が屋外暴露状態となるため性能を低下させる虞もあり、また意匠的にみても安全面の上でも好ましくはない。
【０００５】
このため、特許文献１では、基礎の外周に立ち上がり部を設けるとともに上部建物側から垂下するカバーを構成して高さ方向の隙間を極力閉塞する技術が提案されている。この技術では、建物本体が地盤面から浮き上がって支承されていても、コンクリート基礎の立ち上がり部で支持された一般の住宅と同じような外観が得られ、見る者に違和感を与えることが少ない。
【０００６】
また特許文献２では、地震時における上部構造体と基礎との相対的な移動量を見込んだ基礎の外周に沿って立ち上がり部を形成し、上部建物の外壁から立ち上がり部の上端部に至る庇状の犬走りを構成し、この犬走りによって上部建物から屋外に平面的に突出した基礎を覆う技術が提案されている。
【特許文献１】特開２０００−２２５９４２号公報
【特許文献２】特開平１１−２５６８７４号公報
【特許文献３】特開２００２−２１９８４５号公報
【発明の開示】
【発明が解決しようとする課題】
【０００７】
特許文献１の技術では上部建物の外壁の下端側に外壁とは異なる材質のカバーを垂れ下げるため、外壁の意匠との関連がはかりにくく、外観意匠上の問題が生じる虞がある。
【０００８】
また、特許文献２の技術はビル建築のような大掛かりな建物を対象としたものであるが、上部建物の外壁に庇状のカバーを突出して形成するため、住宅等の小規模な建物に適用する場合、大掛かりになってコスト上の問題が生じる虞がある。また地震時に突出したカバーを格納し得るようにした技術（例えば特許文献３参照）も存在するが、このような機構を持った免震建物は高コストとなりやすく、特に住宅等の小規模建物への展開する場合の障害となっていた。
【０００９】
本発明の目的は、極めて簡単な構造で免震建物の下部構造を覆うことができる下部構造カバーを提供することにある。
【課題を解決するための手段】
【００１０】
上記課題を解決するために本発明に係る下部構造カバーは、免震建物における下部構造が上部建物から屋外に平面的に突出した部位の形状に対応した形状を有し、上部建物を含む上部構造体の相対的な移動に応じて移動し得るように前記下部構造の上部建物から突出した部位に載置されて該部位を覆うようにしたものである。
【００１１】
上記下部構造カバーにおいて、上部建物側の辺に立上片を設けることが好ましく、且つ上部建物から突出した側の辺に立下片を設けることが好ましい。
【発明の効果】
【００１２】
本発明に係る下部構造カバーは、下部構造が上部建物から突出した部位の形状に対応させた形状を有して単に突出した部位に載置され、上部構造の相対的な移動に応じて移動し得るように構成されており、従来技術のように上部建物の外壁から垂れ下がって構成されたり、庇状に突出して構成されたものではない。従って、構造や施工方法が単純でありコストを抑制することができる。
【００１３】
また上部建物側の辺に立上片を設けることで、下部構造カバーの上面に降りかかった雨水や散水が下部構造の内部に進入することを防止できる。また上部建物から突出した側の辺に立下片を設けた場合には、雨水や散水が下部構造カバーの突出した側から下部構造の突出部に浸入することを防止できる。
【００１４】
また上部建物との間に着脱可能な連結部を設けることで、通常時のカバーの移動を防止することができ、免震材のメンテナンス等の際には取り外すことができる。
【発明を実施するための最良の形態】
【００１５】
以下、本発明に係る下部構造カバーの実施の形態について説明する。本発明の下部構造カバーは、下部構造における上部建物から突出した部位の形状に対応させた形状を有し、該突出した部位に載置されて覆い、上部構造が移動したとき、この移動に応じて移動し得るように構成されたものである。
【００１６】
本発明において、免震建物は、地震時に地盤の動きに追従し相対的に移動しない基礎等の下部構造の上に複数の免震材（例えば滑り支承型免震材における摺動子や摺動子が載置される受板）を載置し、更にこの免震材の上に架台を載置し、この架台に上部建物を建築して構成されている。そして地震時に上部建物と架台とからなる上部構造体が地盤や下部構造の動きに追従せず下部構造に対して相対的に移動するように構成されている。
【００１７】
基礎は免震材の配置に応じて適切な形状や規模を持って設定される。本発明において、基礎に立ち上がり部を構成するか否かは限定するものではなく、基礎の外周に沿って立ち上がり部を設けても良く、平坦なままの基礎であっても良い。基礎の外周に立ち上がり部を構成した場合、この立ち上がり部の高さは上部構造を構成する架台の下面よりも低いことが必要である。何れの基礎であっても、本発明の下部構造カバーを適用して目的の部位を覆うことが可能である。
【００１８】
免震材の構造は特に限定するものではなく、基礎の上面に固定した受板と、該受板の上面を摺動し上部構造を構成する架台に固定された摺動子と、によって構成された支承材と、上部構造を初期位置に復帰させる復元材とによって構成された滑り支承型の免震材や、ゴム板等を積層して構成した積層ゴム型の免震材等を利用することが可能である。
【００１９】
上部建物から屋外に平面的に突出した下部構造とは、一義的に限定し得るものではなく、目的の免震建物の平面形状や設備仕様、或いは免震材の配置位置等の条件に応じて適宜設定される。
【００２０】
上部建物から屋外に平面的に突出した下部構造の代表的な構成は、上部建物の外周部近傍に配置された摺動子の摺動領域に設置される受板の載置部、或いは受板の載置部を形成するために拡張され上部建物から突出した基礎である。
【００２１】
また、上部建物の外周部近傍に設置されたエレベーターのピットのようにエレベーター本体が移動し、基礎の立上り部を有する下部構造の領域に達する場合、地震時にエレベーター本体と立上り部の衝突を防止するためにピットの領域を上部建物（エレベーター）の移動量を想定して広く形成しておく必要があり、このような場合の上部建物から屋外に平面的に突出するピットの領域も上部建物から屋外に平面的に突出した下部構造の一例である。
【００２２】
本発明の下部構造カバーは材質や構造を限定するものではなく、鋼板や弾性と可撓性を持ったゴム板や合成樹脂板等があり、これらの材料を選択的に利用することが可能である。特に、ゴム板等の可撓性を有する材質とした場合、建物外部に障害物が存在して地震時に下部構造カバーと衝突しても、下部構造カバーが一時的に変形することで障害物や下部構造カバー自体の破損を防止し、更に地震動の収束によって下部構造カバーは当初の形状に復元することができる。
【００２３】
本発明において、下部構造カバーの形状は、上部建物から突出した下部構造の形状に対応して設定されている。しかし、下部構造カバーの形状が上部建物から突出した下部構造の形状と同一である必要はなく、複数に分割した下部構造カバーによって上部建物から突出した下部構造を覆うようにしても良い。
【実施例１】
【００２４】
次に、第１実施例に係る下部構造カバーの構成について図を用いて説明する。図１は下部構造としての受板載置のための基礎の拡張部分をカバーした状態を説明する図である。図２は下部構造カバーの形状の例を説明する図である。図３は下部構造カバーに設けた連結部の構成を説明する図である。
【００２５】
図１に示すように、下部構造Ａは鉄筋コンクリート造の基礎２で構成されている。免震材１は滑り支承型であり、所定の寸法を持った平板状の受板１ａと、受板１ａの上面と接触して摺動する摺動子１ｂと、を有して構成されている。受板１ａは基礎２に支持されており、摺動子１ｂは上部建物３を支持する架台に接続されている。
【００２６】
基礎２の上面２ａは地盤４の地盤面４ａと略同じか高くなるように構成されており、基礎２の外周部には立ち上がり部２ｂが形成されいる。また、基礎２の上面の摺動子１ｂに対応する位置には摺動子１ｂの摺動領域に対応する大きさを有する受板１ａを載置する載置部２ｄが形成されており、受板１ａの載置部２ｄは立ち上がり部２ｂの上端面２ｃよりも若干高いレベルに設定されている。
【００２７】
本実施例において、免震材１は上部建物３の外周部の近傍、即ち、上部建物３の外壁に接近した位置に配置されており、免震材１の受板１ａの一部が上部建物３の外壁部分から屋外に平面的に突出するように構成されている。即ち、下部構造Ａは、免震材１を構成する受板１ａの一部が上部建物３から屋外に平面的に突出しており、この受板１ａの載置部２ｄがカバーすべき下部構造Ａを構成している。従って、上部建物３から屋外に平面的に突出した受板１ａの載置部２ｄを下部構造カバーＢによってカバーしている。
【００２８】
尚、受板１ａの上面には不織布等からなる保護シート５が設けられており、下部構造カバーＢは、保護シート５の更に上面に配置されている。
【００２９】
下部構造カバーＢはカバーすべき下部構造の寸法と形状に対応した寸法と形状を有している。即ち、本実施例では、カバーすべき下部構造が受板１ａの載置部２ｄであるため、該受板１ａの載置部２ｄの上部建物３の外壁に沿った方向（下部構造カバーの幅方向、以下同じ）の寸法よりも大きい幅寸法と、上部建物３が基礎１に対して変位を生じていない初期位置における摺動子１ｂの端部から受板１ａの載置部２ｄの端部まで（下部構造カバーの奥行方向、以下同じ）の寸法よりも大きい奥行寸法を有して形成されている。
【００３０】
図１に示すように、免震材１が上部建物３における外壁の直線部近傍に配置されている場合、カバーすべき下部構造Ａとなる受板１ａの載置部２ｄが上部建物３から突出した部分の平面形状は長方形となる。このため、下部構造カバーＢは図２（ａ）に示すように、長方形の板部材１０によって構成されている。
【００３１】
また、免震材１が上部建物３における外壁の出隅部近傍に配置されている場合、受板１ａの載置部２ｄの上部建物３から突出した部分の平面形状は、Ｌ字型となり且つＬ字を構成する二つの辺の長さは略等しい。このため、下部構造カバーＢは、図２（ｂ）に示すように、等辺Ｌ字型の板部材１１によって構成されている。
【００３２】
更に、免震材１が上部建物３における入隅部分に配置されている場合、受板１ａの載置部２ｄの上部建物３から突出した部分の平面形状は略正方形となる。このため、下部構造カバーＢは、図２（ｃ）に示すように、正方形の板部材１２によって構成されている。
【００３３】
下部構造カバーＢの上部建物３側の辺（免震材１の摺動子１ｂに近い方の辺）には、全長にわたって上向きに立ち上げた立上片２１が、上部建物３を構成する外壁パネル下端面から突出した水切部３ａよりも低く設定されて上部建物３の下部に入り込むようような状態で形成されており、この立上片２１によって、上部建物３の下端部と下部構造Ａとの隙間から降りかかった雨水や散水が奥に入り込むことを防ぐと共に、この水を下部構造カバーＢの上面から上部建物３の外側に流すことが可能である。
【００３４】
また下部構造カバーＢの上部建物３から突出した側の辺（免震材１の摺動子１ｂから離隔した方の辺）には、全長にわたって下向きに垂下した立下片２２が形成されており、この立下片２２によって下部構造カバーＢに降りかかった雨水や散水が該下部構造カバーＢと受板１ａとの間に入り込むことを防ぐと共に、下部構造カバーＢの上面を流下してきた水が下部構造カバーＢの下側の面に回り込むことを防ぐことが可能である。
【００３５】
更に、下部構造カバーＢの上面所定位置には連結部２５が設けられている。この連結部２５は上部建物３の下端面における所定部位、例えば、上部建物３の外壁を構成する外壁パネルの下端面から突出して形成されている水切部３ａと係合して上部建物３と下部構造カバーＢとを連結している。
【００３６】
連結部２５の構造は特に限定するものではないが、後述する三つの構造の中から選択するのが有利である。
【００３７】
図３（ａ）に示す連結部２５は、下部構造カバーＢを構成する板部材１０の所定位置（立上片２１を免震材１の摺動子１ｂに接近させたとき、上部建物の水切部３ａの内側の面と対向する位置）に１枚の係止片２５ａを配置すると共に、該１枚の係止片２５ａをねじ２５ｂ、ナット２５ｃによって固定して構成されている。係止片２５ａは水切片３ａの建物内部側の形状に対応させて断面が「へ」字状に形成されている。
【００３８】
上記した１枚の係止片２５ａを有する連結部２５では、上部建物３が上部建物３の内側方向に移動したとき、係止片２５ａが水切部３ａに係止されることによって下部構造カバーＢを同方向に移動させることが可能である。また、上部建物３が上部建物３の外側方向に移動したとき、下部構造カバーＢは水切部３ａによって移動させられることはないが、立上片２１が免震材１の摺動子１ｂに隣接しておりこの摺動子１ｂに接触して押されることによって上部建物３と同じ方向に移動する。そして、地震の収束後上部建物３がダンパー等の復元材によって当初の位置に復帰すると同時に下部構造カバーＢも当初の位置に復帰する。
【００３９】
図３（ｂ）に示す連結部２５は、所定位置に２枚の挟持片２５ｄ、２５ｅを配置すると共にねじ２５ｂ、ナット２５ｃによって固定して構成されている。挟持片２５ｄ、２５ｅは水切片３ａの建物内部側の形状に対応させて断面が夫々「へ」字状、Ｌ字状に形成されている。
【００４０】
この場合、連結部２５の挟持片２５ｄ、２５ｅにて水切部３ａを挟持するので下部構造カバーＢは上部建物がいずれの方向に移動した場合でも上部建物３の移動に追従して移動することになる。そして、図３（ａ）の場合と同様に、地震の収束後上部建物３がダンパー等の復元材によって当初の位置に復帰すると同時に下部構造カバーＢも当初の位置に復帰する。
【００４１】
更に、図１、２に示す連結部２５は、断面が略クランク形状で一端が下部構造カバーＢを構成する板部材１０に固定されて形成されたばねクリップであり、中央の凹部と上部建物３の水切部３ａとが噛み合うように位置が設定されている。そして地震時には、図３（ｂ）に示す連結部２５の場合と同様に、下部構造カバーＢは上部建物３の移動に追従して移動し、地震の収束後は上部建物３がダンパー等の復元材によって当初の位置に復帰すると同時に下部構造カバーＢも当初の位置に復帰する。
【００４２】
このように連結部２５をばねクリップで構成した場合、下部構造カバーＢに対し連結部２５による上部建物３への把持力に勝る力を作用させることで、その連結を解除したり再度連結したりすることが可能である。従って、ボルトやビス等を緩める或いは締結するといった煩雑な作業をすることなく容易に下部構造カバーＢを脱着することができる。
【００４３】
下部構造カバーＢに立下片２２を設けた場合、地震時に上部建物３が内側方向に移動して立下片２２と下部構造Ａとが衝突し、下部構造カバーＢや下部構造Ａが破損する虞があるが、破損を防止するためには、（１）下部構造カバーＢの先端部を図２（ｄ）に示すような形状とする、（２）下部構造カバーＢの先端部の折り曲げ角度を緩くする、（３）下部構造Ａの先端部を垂直に立ち上げずに傾斜させる、等の方法で、下部構造カバーＢと下部構造Ａが接触した際に下部構造カバーＢの先端側が持ち上がるように構成するのが好ましい。特に上記（１）の方法によれば、下部構造カバーＢの先端が鋭利にならないので安全で見栄えもよく好ましい。
【００４４】
但し、外壁の直線部近傍に配置される下部構造カバーＢの短辺部については、上記のような構成とすると、水切部３ａと連結部２５との摩擦力に応じて追従のしかたが変化してしまい上部建物３の外壁面と平行方向の移動に対して完全には追従しないので、地震動の収束時に下部構造カバーＢが当初の位置からずれてしまう虞がある。従って、両短辺部の立下片２２が下部構造Ａに係止し、下部構造カバーＢの外壁面と平行方向の移動が生じないように構成するのが好ましい。
【実施例２】
【００４５】
次に第２実施例に係る下部構造カバーについて図を用いて説明する。図４は免震材の周囲に形成された高い立ち上がり部を有する基礎を含む下部構造を説明する図である。図５は下部構造カバーの例を説明する図である。図６は図４の斜視図である。尚、図において、前述の第１実施例と同一の部分及び同一の機能を有する部分には同一の符号を付して説明を省略する。
【００４６】
図４に示すように、下部構造Ａを構成する基礎２の立ち上がり部２ｂは、免震材１の受板１ａの上面のレベルよりも高く、且つ上部建物３の下端部よりも低く構成されている。この場合、上部建物３の外周部に沿って、且つ受板１ａを載置する載置部２ｄが建物外周部よりも屋外に平面的に突出した部分においては突出部に沿って基礎２の立ち上がり部２ｂが形成される。
【００４７】
下部構造カバーＣは、基礎２の立ち上がり部２ｂの上部建物３からの屋外に平面的な突出形状に対応させて、図５に示すように、一般部に対応する板部材１０、出隅部に対応する板部材１１、入隅部に対応する板部材１２によって夫々構成されている。各板部材１０〜１２の幅寸法は、基礎２の立ち上がり部２ｂと上部建物３の下端部の所定位置までの距離に対応して設定され、上部建物３の壁面側以外の端縁部が基礎２の立ち上がり部２ｂの上端面２ｃで支持されている。
【００４８】
この場合、地震時には上部建物３の外側方向（図における左側方向）への移動に伴って下部構造も移動するが、所定の距離移動した時点で基礎２の立ち上がり部２ｂの上端面２ｃが下部構造カバーＣの端部を支持する支持面となることは第２実施例と同じである。そして、このようにコ字状に形成された立ち上がり部２ｂによって下部構造カバーＣの外周三辺を支持した場合、立上辺２１によりカバーＣの撓みを抑え、安定した支持を実現することが可能となる。
【実施例３】
【００４９】
次に、上部建物の下端部分の一部が基礎の立ち上がり部よりも低い場合の例を図７により説明する。本実施例では、上部建物３の外壁の近傍に例えばエレベーター３ｂが配置されており、このエレベーター３ｂが上部建物３の下端面よりも下方に突出した場合を想定している。
【００５０】
このように構成された上部建物３では、地震時に上部建物３が下部構造Ａを構成する基礎２に対して移動したとき、下方に突出したエレベーター３ｂ部分が立ち上がり部２ｂと衝突する虞があるため、この移動を見越してエレベーターピットを大きく確保し（すなわちエレベーターピットの底面をなす基礎２のスラブを上部建物３よりも屋外に平面的に突出させ）エレベーターピットに沿って立ち上がり部２ｂを形成する必要が生じる。
【００５１】
このような場合であっても、第２実施例と同様に、下部構造カバーＣの上部建物３側以外の端縁部を基礎２の立ち上がり部２ｂの上端面２ｃに載置して支持することで、上部建物３の外周部から突出した下部構造をカバーすることが可能である。
【産業上の利用可能性】
【００５２】
本発明に係る下部構造カバーでは、下部構造Ａを構成する基礎２の立ち上がり部２ｂと上部建物３の外周部との間に形成された平面空間をカバーすることが可能であり、該平万空間を通って上部建物の下側に入り込む雨水や散水、或いは埃や泥を防ぐことが可能となる。このため、基礎と上部建物との間に免震材を配置して構成した免震建物に利用して有利である。
【図面の簡単な説明】
【００５３】
【図１】下部構造としての免震材の受板をカバーした状態を説明する図である。
【図２】下部構造カバーの形状の例を説明する図である。
【図３】下部構造カバーに設けた連結部の構成を説明する図である。
【図４】免震材の周囲に形成された高い立ち上がり部を有する基礎を含む下部構造を説明する図である。
【図５】下部構造カバーの例を説明する図である。
【図６】図４の斜視図である。
【図７】上部建物の下端部分の一部が基礎の立ち上がり部よりも低い場合の例を説明する図である。
【符号の説明】
【００５４】
Ａ                      下部構造
Ｂ、Ｃ                  下部構造カバー
１                      免震材
１ａ                    受板
１ｂ                    摺動子
２                      基礎
２ａ                    上面
２ｂ                    立ち上がり部
２ｃ                    上端面
２ｄ                    載置部
３                      上部建物
３ａ                    水切部
４                      地盤
４ａ                    地盤面
５                      保護シート
１０〜１２              板部材
２１                    立上片
２２                    立下片
２５                    連結部
２５ａ                  係止片
２５ｂ                  ねじ
２５ｃ                  ナット
２５ｄ、２５ｅ          挟持片
【図１】
2008266898.tif 000003
【図２】
2008266898.tif 000004
【図３】
2008266898.tif 000005
【図４】
2008266898.tif 000006
【図５】
2008266898.tif 000007
【図６】
2008266898.tif 000008
【図７】
2008266898.tif 000009